(57)【特許請求の範囲】
【請求項１】
複数のランプバルブ、当該複数のランプバルブを個々に収納するハウジング、これら各ハウジング等を一体的に覆うように設けられるレンズ等からなる車両用コンビネーションランプにおいて、上記ハウジングの開口部のところであってランプバルブとレンズとの間に設けられる遮光カバーの、そのハウジング開口部との接合部のところに、上記遮光カバーとハウジング開口部との間の隙間を覆うように、かつ、その最先端部のところが非常に薄くなるように形成されたリップ状のオーバラップ部を設けるようにした構成からなることを特徴とする車両用コンビネーションランプ。
【発明の詳細な説明】
【０００１】
【発明の属する技術分野】
本発明は、車両用コンビネーションランプに関するものであり、特に、ランプハウジングの開口部のところに設けられる遮光カバーの、その周縁端部と上記ハウジング開口部との間に生ずる隙間が視認されないようにした車両用コンビネーションランプに関するものである。
【０００２】
【従来の技術】
一般に、車両用コンビネーションランプにおいては、例えば図４に示す如く、ランプバルブ５０の収納されるハウジング３０が複数個一体的にまとめられて形成されるとともに、その開口部のところには、複数のランプバルブ５０及びハウジング３０を一体的に覆う大形のレンズ２０が設けられるようになっているものである。そして、これらが一組のコンビネーションランプアセンブリを形成するようになっているものである。このようなコンビネーションランプアセンブリの特定のハウジングのところ、例えば図４に示すようなバックアップランプ部等のところには、ランプバルブ５０からの透過光量を一定の値に制限するための遮光カバー１０が設けられるようになっているものである。
【０００３】
【発明が解決しようとする課題】
ところで、このような従来のものにおいては、例えば図４に示す如く、遮光カバー１０の周縁部とハウジング３０の開口部との間に隙間Ａが存在することとなり、この隙間Ａが、レンズ２０のところで拡大されて、観者には大きな幅の暗線として視認されることとなる（図３における遮光カバー周縁端部のところ）。その結果、見栄えが損なわれると言う問題点を有する。このような問題点を解決するために、遮光カバーの周縁端部のところに、リップ状のオーバラップ部を設け、これによって隙間の見えないようにした車両用コンビネーションランプを提供しようとするのが、本発明の目的（課題）である。
【０００４】
【課題を解決するための手段】
上記課題を解決するために、本発明においては次のような手段を講ずることとした。すなわち、請求項１記載の発明においては、複数のランプバルブ、当該複数のランプバルブを個々に収納するハウジング、これら各ハウジング等を一体的に覆うように設けられるレンズ等からなる車両用コンビネーションランプに関して、上記ハウジングの開口部のところであってランプバルブとレンズとの間に設けられる遮光カバーの、そのハウジング開口部との接合部のところに、上記遮光カバーとハウジング開口部との間の隙間を覆うように、かつ、その最先端部のところが非常に薄くなるように形成されたリップ状のオーバラップ部を設けるようにした構成を採ることとした。
【０００５】
このような構成を採ることにより、遮光カバー周縁端部と上記ハウジング開口部との接合部のところには、その全周にわたってレンズ側にリップ状のオーバラップ部が設けられるようになっていることより、上記隙間はレンズ側からは視認されないようになる。すなわち、レンズ側からは、リップ先端部が細線状に視認されるにすぎない（図３参照）。その結果、従来のものにおいて問題とされていた帯状の暗線は生ぜず、コンビネーションランプとしての見栄えの向上が図られることとなる。
【０００６】
【発明の実施の形態】
本発明の実施の形態について、図１ないし図３を基に説明する。本実施の形態に関するものの、その構成は、図１に示す如く、ランプバルブ５の設置されるハウジング３と、当該ハウジング３の開口部のところに設けられるものであって、例えばバックアップランプ等のように照射光量を一定の値に制限するために設けられる不透明状の遮光カバー１と、上記ランプバルブ５及びハウジング３からなるランプアセンブリが複数個一体的にまとめられた状態で、これら複数個のランプアセンブリを一体的に覆うように設けられるレンズ２と、からなることを基本とするものである。
【０００７】
このような基本構成からなるものにおいて、上記レンズ２は、図３に示す如く、ある部分は無色透明体からなり、また、ある部分、例えばバックアップランプを形成する部分は白色透明体にて形成され、更には、他の部分、例えばストップランプを形成する部分は赤色透明体にて形成されるようになっているものである。
【０００８】
また、上記構成からなる上記遮光カバー１の上記ハウジング３の開口端部３３との接合部のところには、図２に示す如く、遮光カバー１の、その周縁端部全周にわたってリップ状のオーバラップ部１１１が設けられるようになっているものである。そして、このリップ状オーバラップ部１１１の、その最先端部のところは非常に薄く形成されており、図１に示す如く、観者の視線がレンズ２を透して向けられた場合においても、周縁端末部のところは、図３に示すような細線としてしか認識されないようになっているものである。すなわち、図２に示すハウジング３の開口部３３と遮光カバー１との接合部に生ずる隙間Ａは、上記オーバラップ部１１１にて覆われ、レンズ２側からは見えないようになっているものである。
【０００９】
このような構成を採ることにより、本実施の形態のものにおいては次のような作用を呈することとなる。すなわち、遮光カバー１周縁端部と上記ハウジング３の開口部との接合部のところには、その全周にわたってレンズ２側にリップ状のオーバラップ部１１１が設けられるようになっていることより、図２における隙間Ａはレンズ２側からは視認されないようになる。従って、レンズ２側からは、上記オーバラップ部１１１のリップ状先端部のところが細線状に視認されるにすぎない（図３参照）。その結果、従来のものにおいて問題とされていた帯状の暗線は生ぜず、コンビネーションランプとしての見栄えの向上が図られることとなる。また、コンビネーションランプとしての視認性の向上が図られることとなる。
【００１０】
【発明の効果】
本発明によれば、複数のランプバルブ、当該複数のランプバルブを個々に収納するハウジング、これら各ハウジング等を一体的に覆うように設けられるレンズ等からなる車両用コンビネーションランプに関して、上記ハウジングの開口部のところであってランプバルブとレンズとの間に設けられる遮光カバーの、そのハウジング開口部との接合部のところに、上記遮光カバーとハウジング開口部との間の隙間を覆うように形成されたリップ状のオーバラップ部を設けるようにした構成を採ることとしたので、遮光カバーの周縁端部のところが幅広状の暗線等として視認されないようになり、コンビネーションランプとしての見栄えの向上を図ることができるようになった。また、観者に違和感を与えるようなことが無くなり、コンビネーションランプとしての視認性の向上を図ることができるようになった。
【図面の簡単な説明】
【図１】本発明の全体構成を示す断面図である。
【図２】本発明の主要部を成す遮光カバーの周縁端部の構造を示す部分断面図である。
【図３】本発明にかかるコンビネーションランプの全体構成を示す斜視図である。
【図４】従来例の全体構成を示す断面図である。
【符号の説明】
１  遮光カバー
１１１  オーバラップ部
２  レンズ
３  ハウジング
３３  開口部
５  ランプバルブ
【図１】
0004180733.tif 000002
【図２】
0004180733.tif 000003
【図３】
0004180733.tif 000004
【図４】
0004180733.tif 000005